(57)【要約】本発明は、ＷＤＭ光通信ネットワーク内に配置され、ＷＤＭ入力信号を増幅して対応するＷＤＭ増幅出力信号を生成する光増幅器の利得を制御するためのシステムを提供する。本システムは、各々がＷＤＭネットワークの少なくとも１つの波長チャンネル（チャンネル１−２０、チャンネル２１−４０）を含む波長範囲をカバーする第１の波長帯及び第２の波長帯にわたるＷＤＭ入力信号の平均光パワーを測定する手段（１２、１４、１６、１８）と、第１の波長帯及び第２の波長帯にわたる増幅されたＷＤＭ出力信号の平均光パワーを測定する手段（２６、２８、３０、３２）とを備える。更に、本システムは、平均入力パワー及び平均出力パワーから第１の波長帯及び第２の波長帯にわたる利得値（利得（赤色）、利得（青色））を求める手段（３４）と、各利得値の間の差異（Δ利得）が所定値範囲に保たれるように光増幅器の変数（２２）を調節する手段（３４）とを備える。
2005505986.tif 000002
【特許請求の範囲】
【請求項１】
ＷＤＭ光通信ネットワーク内に配置され、ＷＤＭ入力信号を増幅して対応する増幅されたＷＤＭ出力信号を生成する光増幅器の利得を制御するためのシステムであって、各々が前記ＷＤＭネットワークの少なくとも１つの波長チャンネル（チャンネル１−２０、チャンネル２１−４０）を含む波長範囲をカバーする第１の波長帯及び第２の波長帯にわたる前記ＷＤＭ入力信号の平均光パワーを測定する手段（１２、１４、１６、１８）と、前記第１の波長帯及び前記第２の波長帯にわたる前記増幅されたＷＤＭ出力信号の平均光パワーを測定する手段（２６、２８、３０、３２）と、前記平均入力パワー及び前記平均出力パワーから第１の波長帯及び第２の波長帯にわたる利得値（利得（赤色）、利得（青色））を求める手段（３４）と、前記利得値の各々の間の差異（Δ利得）が所定値範囲に保たれるように前記光増幅器の変数（２２）を調節する手段（３４）とを備えることを特徴とするシステム（１０）。
【請求項２】
前記第１の波長帯及び第２の波長帯にわたるＷＤＭ入力信号の平均光パワーを測定する手段は、前記入力信号の第１の量をサンプリングする第１のサンプラ（１２）と、前記ＷＤＭサンプル信号を２つの波長帯に分割する分割器（１４）と、前記第１の波長帯及び第２の波長帯にわたる前記サンプル信号のパワーを測定する検出器（１６、１８）とを備えることを特徴とする請求項１に記載のシステム。
【請求項３】
前記第１の波長帯及び第２の波長帯にわたる増幅されたＷＤＭ出力信号の平均光パワーを測定する手段は、前記出力信号の第２の量をサンプリングする第２のサンプラ（２６）と、前記ＷＤＭサンプル信号を２つの波長帯に分割する分割器（２８）と、前記第１の波長帯及び第２の波長帯での前記サンプル信号を測定する検出器（３０、３２）とを備えることを特徴とする請求項１又は請求項２に記載のシステム。
【請求項４】
前記増幅器は、前記ＷＤＭ入力信号を可変式に減衰させる可変光減衰器（２２）を含み、各利得値の間の前記差異を制御するための前記変数は前記減衰器の減衰量であることを特徴とする前記請求項のいずれか１項に記載のシステム。
【請求項５】
前記増幅器は、前記光増幅器の温度を制御する温度制御手段を含み、各利得値の間の前記差異を制御するための前記変数は前記増幅器の温度であることを特徴とする前記請求項のいずれか１項に記載のシステム。
【請求項６】
前記光増幅器は、少なくとも１つのＥＤＦＡ利得段（２０，２４）を備えることを特徴とする前記請求項のいずれか１項に記載のシステム。
【請求項７】
各々の波長帯は、前記ＷＤＭネットワークの複数の波長チャンネルを含む波長範囲をもつことを特徴とする前記請求項のいずれか１項に記載のシステム。
【請求項８】
前記第１の波長帯及び第２の波長帯は、中心作動波長チャンネルのいずれかの側に配置されることを特徴とする前記請求項のいずれか１項に記載のシステム。
【請求項９】
前記請求項のいずれか１項に記載のシステムを組み込んだ波長分割多重光通信ネットワーク。
【請求項１０】
ＷＤＭ入力信号を増幅して対応する増幅されたＷＤＭ信号を生成するようになっている、ＷＤＭ光通信ネットワークの光増幅器の利得を制御する方法であって、各々が前記ＷＤＭネットワークの少なくとも１つの波長チャンネルを含む波長範囲をカバーする第１の波長帯及び第２の波長帯にわたる前記ＷＤＭ入力信号の平均光パワーを測定する段階と、前記第１の波長帯及び第２の波長帯にわたる前記増幅されたＷＤＭ出力信号の平均光パワーを測定する段階と、前記平均入力パワー及び前記平均出力パワーから前記第１の波長帯及び第２の波長帯にわたる利得値を求める段階と、前記利得値の間の前記差異が所定値の範囲に保たれるように前記光増幅器の変数を調節する段階とを含むことを特徴とする方法。
【請求項１１】
前記ＷＤＭ入力信号の第１の量をサンプリングする段階と、前記ＷＤＭ信号を複数の波長帯に分割する段階と、前記第１の波長帯及び第２の波長帯にわたる前記サンプル信号の前記平均パワーを測定する段階とを更に含むことを特徴とする請求項１０に記載の方法。
【請求項１２】
前記増幅されたＷＤＭ信号の第２の量をサンプリングする段階と、前記ＷＤＭ信号を複数の波長帯に分割する段階と、前記第１の波長帯及び第２の波長帯にわたる前記サンプル信号の前記平均パワーを測定する段階とを更に含むことを特徴とする請求項１０に記載の方法。
【請求項１３】
前記第１の波長帯及び第２の波長帯の各々は、中心作動波長チャンネルのいずれかの側に配置されることを特徴とする請求項１０から１２のいずれか１項に記載の方法。
【請求項１４】
前記第１の波長帯及び第２の波長帯の各々は、複数の波長チャンネルを含む波長範囲を有することを特徴とする請求項１３に記載の方法。
【発明の詳細な説明】
【技術分野】
【０００１】
本発明は、ＷＤＭ通信システムの光増幅器を制御するシステム及び方法に関する。詳細には、本発明は、ＷＤＭ波長スペクトルにわたる平坦な利得特性を保つための光増幅器の利得制御に関する。
【背景技術】
【０００２】
エルビウムドープ光ファイバ増幅器（ＥＤＦＡ）は、波長分割多重（ＷＤＭ）システムにおいて広範に用いられている。増幅器は、理想的には増幅器が作動するスペクトル帯域にわたって平坦な利得特性をもつ必要がある。一般に、光遠隔通信ネットワークでは±０．５ｄＢの値が許容範囲である。
【０００３】
ＥＤＦＡの利得特性は、作動状態の変化に伴って変わる場合が多い。例えば、ＥＤＦＡへの入力の変化又はＥＤＦＡの温度変化は、利得の「傾斜」を引き起こす可能性がある。この「傾斜」により、作動波長スペクトルの片端での利得が他端よりも大きくなってしまう。
【０００４】
図１を参照すると、図１には一般的なＬ帯域（長波長作動帯域：１５７０−１６０５ｎｍ）ＥＤＦＡにおけるスペクトル利得の温度に関する変動が示されている。光ファイバの利得は、温度が上昇すると作動スペクトルの赤色側（長波長）での高い利得から作動スペクトルの青色側（短波長）での高い利得へと変化する。増幅器は、基準温度（図示の例では３７．５°Ｃ）において、利得が作動スペクトル（１５７０ｎｍから１６０３ｎｍ）にわたって実質的に平坦になるように設計されている。
【０００５】
温度の変化に対する利得傾斜の勾配の変化割合は、増幅器のエルビウム（Ｅｒ）ドーピング量に依存する。高レベルのＥｒドーピングは、温度の所定の変化に対する利得傾斜の変化を増加させる。
通常の作動状態では、これはΔＧ／Ｇ＝ｋΔＴで近似でき、ΔＧはピーク利得変動、Ｇは増幅器の平均利得、ΔＴは温度変化、及びｋは増幅器依存定数である。
【０００６】
Ｌ帯域（１５７０ｎｍから１６０５ｎｍ）で作動するＥＤＦＡは、作動反転分布（基底状態Ｅｒ3+イオンに対する励起状態Ｅｒ3+イオンの比率）が、１５３２ｎｍから１５６１ｎｍの間で作動するＣ帯域ＥＤＦＡ増幅器よりも小さいことが知られている。その結果、Ｌ帯域増幅器は、同じ利得を得るためにＣ帯域増幅器に比べて多数のＥｒ3+イオンを必要とする。従って、Ｌ帯域エルビウムドープ増幅器は、等価な利得をもつＣ帯域エルビウムドープ増幅器よりも温度に対して大きな利得変動を示すことになる。
【０００７】
現在、利得変動の補正は、システムの損失を変更することで制御されている。１つの公知例として、損失は多段ＥＤＦＡの各利得段の間に配置された可変光減衰器（variable optical attenuator，ＶＯＡ）によって制御されている。利得段への入力信号を低減することで、光子は、励起状態でＥｒ3+イオンを消耗させることがほとんどできず、結果的に励起状態では多数の励起イオンが残る。比較的多数の励起状態のＥｒ3+イオンは、短い作動波長での利得を高めるので、後段の利得傾斜は、作動スペクトルの青色（短波長）側に傾く。反対に、中間段の損失を小さくして入力を大きくすると、利得傾斜は、作動スペクトルの赤色（長波長）側に傾く。
【０００８】
このような増幅器システムは、ＶＯＡの自動調整を行うために事前に較正しておく必要がある。事前の較正は、増幅器の作動前に増幅器を所定の温度範囲にわたって特性化することを必要とする。一般に、増幅器は温度モニタを備え、ＶＯＡの減衰値は測定温度に基づいて選択される。
更に、最終増幅段へのポンプパワーは、出力パワー変動を補正するように変更される。増幅器からの出力パワーは、光タップを用いて出力信号の一部を分割し、フォトダイオードを用いてこの分割信号を測定することで測定される。ポンプパワーは、この測定した出力を用いたフィードバックループ方式で制御される。
【０００９】
増幅器は、以下の２つのプロセスを利用して作動スペクトルにわたって実質的に平坦な利得特性及び一定の出力パワーを保つ。
既存の増幅器システムにおけるＶＯＡ特性の設定は、完全に各々の増幅器デザインに対して行う必要がある。温度に対して必要とされる減衰量は、ほぼ直線であり変数の数に依存する。これらの変数としては、エルビウムドーピング量、及び、例えば光ファイバの接続損失といった個々の増幅器の構成部品損失及び製造ばらつきに関する特性を挙げることができる。利得傾斜は、所定形式の全ての増幅器構成に関して一定であると想定する。個々の増幅器の限定された測定値は、製造ばらつきオフセットを決める必要がある。
【００１０】
この制御システムには欠点がある。まず、増幅器の特性は、冗長であり、システムにおける増幅器の派生物の数が多くなるに従って更に多大な時間を必要とする。このシステムを特性化する時間は過大であり煩わしい。
更に、増幅器は、その初期特性に応じて制御される。制御システムは、増幅器の耐用年数にわたる挙動を予測する能力を備えていない。ドープ光ファイバ又は構成部品の劣化、ポンプレーザの波長シフト、又は較正範囲外の温度／入力において増幅器を作動させる必要性といった影響は、増幅器システム性能の劣化をもたらす場合がある。劣化がどの程度ＥＤＦＡ特性又はそれらの構成部品に影響を及ぼすかは殆ど分からない。
【００１１】
また、光ファイバの温度を一定に保つために、即ち温度変動の補正を不要にするためにヒータを用いることが知られている。しかしながら、信号入力の変動は、依然としてこのシステムの制御を必要とするはずである。また、ヒータは、ヒータ素子を増幅器ボックス内で作動させるための電源及び自動温度調節システムを必要とするので、費用がかかると共に設計上の機械的な複雑性が増すことになる。
【発明の開示】
【発明が解決しようとする課題】
【００１２】
本発明は、従来技術の問題点を解決することを目的とする。
【課題を解決するための手段】
【００１３】
本発明の概略的な形態において、本発明は、増幅器の作動中に取得した経験的情報に基づいて増幅器の特性を制御するものである。
詳細には、光増幅器の利得を制御するためのシステムが提供され、光増幅器は、ＷＤＭ光通信ネットワーク内に配置され、ＷＤＭ入力信号を増幅して対応する増幅されたＷＤＭ出力信号を生成する。システムは、各々がＷＤＭネットワークの少なくとも１つの波長チャンネルを含む波長範囲をカバーする第１の波長帯及び第２の波長帯にわたるＷＤＭ入力信号の平均光パワーを測定する手段と、第１の波長帯及び第２の波長帯にわたる増幅されたＷＤＭ出力信号の平均光パワーを測定する手段と、平均入力パワー及び平均出力パワーから第１の波長帯及び第２の波長帯にわたる利得値を求める手段と、各利得値の間の差異が所定値範囲に保たれるように光増幅器の変数を調節する手段とを備えることを特徴とする。
【００１４】
本発明は、増幅器動作の不測の変化からネットワークを保護するという利点をもつ。経験的情報を用いることで、システムは、変化が起きた際に又はネットワークを変化させた際に適応できる。
【００１５】
第１の波長帯及び第２の波長帯にわたるＷＤＭ入力信号の平均光パワーを測定する手段は、入力信号の第１の量をサンプリングするための第１のサンプラと、ＷＤＭサンプル信号を２つの波長帯に分割する分割器と、第１の波長帯及び第２の波長帯にわたるサンプル信号のパワーを測定する検出器とを備えることが好ましい。
【００１６】
同様に、第１の波長帯及び第２の波長帯にわたるＷＤＭ増幅出力信号の平均光パワーを測定する手段は、好都合には、出力信号の第２の量をサンプリングする第２のサンプラと、ＷＤＭサンプル信号を２つの波長帯に分割する分割器と、第１の波長帯及び第２の波長帯でのサンプル信号を測定する検出器とを備える。
好都合には、第１のサンプラ及び第２のサンプラは、光ファイバ接続器等の光タップを備える。
【００１７】
１つの好適な態様において、増幅器は、ＷＤＭ入力信号を可変式に減衰させる可変光減衰器を含み、各利得値の間の差異を制御するための変数は減衰器の減衰量である。
【００１８】
別の方法として又は追加的に、増幅器は、光増幅器の温度を制御するための温度制御手段を含むことができ、各利得値の間の差異を制御するための変数は増幅器の温度である。
好都合には、光増幅器は少なくとも１つのＥＤＦＡ利得段を備える。
【００１９】
各々の波長帯は、ＷＤＭネットワークの複数の波長チャンネルを含む波長範囲をもつことが好ましい。このような構成は、各々の帯域内の放射パワーの存在を保証し、結果的に入力及び出力での各々の波長帯にわたる平均パワーの測定を可能にする。
【００２０】
特定の好適な構成において、第１の波長帯及び第２の波長帯は、中心作動波長チャンネルのいずれかの側に配置される。各々の波長帯に最大数のチャンネルが確実に存在するように、好都合には、各々の波長帯は、ＷＤＭ波長チャンネルのそれぞれの半分を含む波長範囲を有する。
【００２１】
本発明の第２の態様によれば、前述のシステムを組み込んだ波長分割多重光通信ネットワークが提供される。
更に、ＷＤＭ光通信ネットワークの光増幅器の利得を制御する方法が提供され、増幅器は、ＷＤＭ入力信号を増幅して対応する増幅されたＷＤＭ信号を生成するようになっており、本方法は、各々がＷＤＭネットワークの少なくとも１つの波長チャンネルを含む波長範囲をカバーする第１の波長帯及び第２の波長帯にわたるＷＤＭ入力信号の光パワーを測定する段階と、第１の波長帯及び第２の波長帯にわたる増幅されたＷＤＭ出力信号の平均光パワーを測定する段階と、平均入力パワー及び平均出力パワーから第１の波長帯及び第２の波長帯にわたる利得値を求める段階と、各利得値の間の差異が所定値の範囲に保たれるように光増幅器の変数を調節する段階とを含む。
【００２２】
好都合には、本方法は、ＷＤＭ入力信号の第１の量をサンプリングする段階と、ＷＤＭ信号を複数の波長帯に分割する段階と、第１の波長帯及び第２の波長帯にわたるサンプル信号の平均パワーを測定する段階とを更に含む。
【００２３】
好ましくは、本方法は、ＷＤＭ増幅信号の第２の量をサンプリングする段階と、ＷＤＭ信号を複数の波長帯に分割する段階と、第１の波長帯及び第２の波長帯にわたるサンプル信号の平均パワーを測定する段階とを更に含む。
好ましくは、第１の波長帯及び第２の波長帯の各々は、中心作動波長チャンネルのいずれかの側に配置され、好都合には、複数の波長チャンネルを含む波長範囲を有する。
本発明の実施形態は、添付の図面を参照して例示的に以下に説明される。
【発明を実施するための最良の形態】
【００２４】
図２を参照すると、本発明を具現化するＥＤＦＡ増幅器システム１０は、３つの利得段２０、２４を備える。増幅器システムは、１００ＧＨｚ（０．８ｎｍ）の光波長チャンネル間隔をもつＬ帯域（１５７０ｎｍ−１６０３ｎｍ）範囲で作動する４０チャンネル密度のＷＤＭ通信システムでの使用が意図されている。
【００２５】
光タップ１２は、ＷＤＭ光入力信号が増幅器システムに入力する際にこの信号をサンプリングする。入力サンプルはフィルタ又は分割器１４によって２つの波長帯に分割される。
フィルタ１４は、そこで放射入射をそれぞれの出力へ反射及び伝送するように設計されている。反射及び伝送された放射は、２つの波長帯に対応する。図３は伝送（Ｔ）及び反射（Ｒ）に関するフィルタのスペクトル特性（挿入損失対波長）を示す。入力信号は、中心作動波長（ほぼＬ帯域作動の中心波長１５８７ｎｍ）のいずれかの側に配置された第１の下側波長帯１５７０−１５８７ｎｍ及び第２の上側波長帯１５８７−１６０３ｎｍに分割される。
【００２６】
図３において、フィルタの伝送及び反射通過帯域は、実際にはそれぞれ約１５６０−１５８７ｎｍ及び１５８７−１６１０ｎｍに対応することに留意されたい。しかし、これらの通過帯域は、Ｌ帯域（１５７０ｎｍ−１６０３ｎｍ）作動域外の放射エネルギが通過するのを許容することになるので、Ｌ帯域外の放射エネルギは前述のシステム上に殆ど存在しない。この波長分割の選択は随意的である。しかしながら、各々の波長帯の十分な信号パワーは、増幅器の利得をモニタするのに必要である。即ち、各々の波長帯の少なくとも１つのチャンネル上の信号は、常に増幅器の利得をモニタするのに必要である。それぞれのフォトダイオード１６、１８は、各々の波長帯の信号強度（パワー）を測定する。
【００２７】
図４及び図５を参照すると、ＷＤＭ信号の波長に関する４０個の光チャンネルが示されている。１番から２０番のチャンネルは、１５７０ｎｍから１５８６ｎｍの下側波長帯にあり、２１番から４０番のチャンネルは、１５８７ｎｍから１６０３ｎｍの上側波長帯にある。前述の図３を参照すると、フィルタ１４の伝送特性は、１５６０ｎｍから１５８７ｎｍまでの第１の波長帯では比較的低損失特性であり、１５８７ｎｍから１６１０ｎｍの第２の波長帯では比較的高損失特性である。対照的に、フィルタの反射特性は、第１の波長帯では比較的高損失特性であり、第２の波長帯では比較的低損失特性である。つまり、フィルタ１４は４０チャンネルを２つの２０チャンネル波長帯に分割し、各々の波長帯は、図５に示すように中心波長のいずれかの側に存在する。基本的に、本実施形態において、フィルタは、一方の波長帯において高い伝送特性を示すと共の隣接した別の波長帯において高い反射特性を示す帯域通過フィルタのように機能する。このようなフィルタは、所望の反射及び伝送特性を実現するために複数の誘電体層を利用することができる。
【００２８】
TＷＤＭ入力信号の残りの大部分は、最初の２つの利得段２０を経由して可変光減衰器２２（ＶＯＡ）へ伝搬し、第３の利得段２４を経由して増幅器の出力部へ伝搬する。出力部では、第２の光タップ２６によって別のサンプル信号が取得される。この出力サンプルは、フィルタ２８によって入力信号に関して同じ２つの波長帯に分割される（即ち、１５７０−１５８７ｎｍの波長チャンネル１番から２０番、及び１５８７−１６０３ｎｍのチャンネル２１番から４０番に対応する各波長帯域）。２つの波長帯の平均信号強度（パワー）は、別のフォトダイオード対３０、３２を用いて測定される。
【００２９】
フォトダイオード１６及び３０は、短波長（青色）に関する第１の波長帯にわたるそれぞれの入力及び出力信号パワー値を測定し、フォトダイオード１８及び３２は、中心波長よりも長い波長（赤色）関する第２の波長帯にわたるそれぞれの入力及び出力信号パワー値を測定する。
【００３０】
各々の波長帯に関する入力及び出力パワー値は、制御ユニット３４によって適合される。制御ユニット３４は、増幅器システム１０の理想的な作動のために必要とされるであろうＶＯＡ２２の減衰量の所要の変化量を決定する。増幅器システムの平均利得の単純な目安は、以下の関係から決定できる。
Δ利得＝利得（赤色）−利得（青色）
ここで、利得（赤色）＝出力（赤色）−入力（赤色）であり、利得（青色）＝出力（青色）−入力（青色）である。
【００３１】
入力（青色）及び入力（赤色）は、（フォトダイオード１６及び１８でそれぞれ測定する場合）増幅器システムへの入力における各々赤色波長帯及び青色波長帯のｄＢｍ表示での測定されたパワーである。同様に、出力（青色）及び出力（赤色）は、（それぞれフォトダイオード３０及び３２で測定した場合）増幅器システムの出力における各々赤色波長帯及び青色波長帯のｄＢｍ表示での測定されたパワーである。利得（赤色）及び利得（青色）は、増幅器システムにわたる各々の波長帯の平均利得である。
【００３２】
増幅器は、理想的にはΔ利得＝０の平坦な利得／波長応答性、又はスペクトル特性をもつ。Δ利得＞０の場合、長波長（赤色）チャンネルに有利な利得傾斜を与える。対照的に、Δ利得＜０の場合、短波長（青色）チャンネルに有利な利得傾斜を与える。
従って、Δ利得の大きさ及び正負符号は、制御装置３４がＶＯＡ２２の減衰量、従って第３の利得段２４の増幅利得応答性を制御するのに利用できる。このことは、次には増幅器システムの出力を制御する。減衰量を変更することで、利得スペクトルが平坦になり、ほぼΔ利得＝０を得ることができる。Δ利得＞０の場合には減衰量は大きくなり、Δ利得＜０の場合には減衰量は小さくなる。
【００３３】
システム構成部品に起因する変動は、Δ利得＝０の場合に理想的な作動が必ずしも得られないことを意味し、少しだけオフセットする場合がある。１つのシステムの態様において、Δ利得＝０．３ｄＢの最適値が測定されている。
【００３４】
本発明の増幅器システムにおいて、制御装置及びＶＯＡは、サンプル入力信号及びサンプル出力信号をフィードバックループ方式で使用して増幅器システム特性を制御することを理解されたい。種々の利得段又は増幅器構成部品の特性が変わるとフィードバックループがＶＯＡの減衰レベルを変えるので、増幅器は継続的に最適に機能する。このようにして、さもなければ増幅器の性能を劣化させる場合がある、増幅器構成部品のいかなる長期間の劣化又は短期間の変動を補正することができる。これにより、作動可能な耐用年数が長くなるか又は保守点検期間が長くなる。
【００３５】
別の実施形態において、サンプル信号を２つの波長帯に分割することでモニタプロセスの精度が高くなることが想定される。
光タップ及びＶＯＡはよく知られており一般に平坦なスペクトル応答性を備えている。
【００３６】
信号をサブ帯域波長に分配又は分割することは、回折格子又は干渉フィルタ等の公知の方法を用いて実現できる。更に、積分フィルタを備えたフォトダイオードを使用してもよい。
図２には第２の利得段と第３の利得段との間に配置されたＶＯＡ２２が示されている。この位置に制約されるものではなく、いずれかの利得段の前に配置することができる。しかしながら、好適な実施形態に示した位置は、出力信号の最適なＳ／Ｎ比性能を与えると考えられる。
【００３７】
更に、光タップ１２、２６を入力部及び出力部に配置することは必須ではない。例えば、タップを各増幅段の間に配置することができるが、少なくとも１つの増幅器を各タップの間に残す必要がある。各々のタップによってサンプリングされるパワーは随意的である。図２は、信号パワーの５％をサンプリングするタップ１２、２６を示す。それ以上のパワー又はそれ以下のパワーをサンプリングする別のタップも同様に上手く作動するであろう。フォトダイオードによる正確な測定を可能にするには、パワーを過度に持ち去ることはないが十分なパワーをサンプリングするようなサンプリングパワー量を検討する必要がある。更に、出力タップ２６は、入力タップ１２と同じ割合の量をサンプリングする必要はない。この場合、利得値が正しく計算されるように制御装置には補正係数が必要となる。
【００３８】
光ファイバ温度制御システムを利用できる場合、光ファイバ温度を制御するためにＶＯＡ減衰量ではなく、又はＶＯＡ減衰量のみならずフィードバックシステムを使用できるであろう。また、出力パワーレベルを一定に保つために増幅器ポンプ（図２においてポンプ１からポンプ３で示す）の制御を利用できる。
前述の実施形態は１つの増幅器システム内に３つの利得段を有している。勿論、サンプリング点及びフィードバックループの任意の組み合わせでもって幾つかの利得段を用いることができる。
【図面の簡単な説明】
【００３９】
【図１】ＥＤＦＡに関する異なる温度での利得対波長のグラフである。
【図２】光増幅器を制御するための本発明を具現化するシステムの概略図である。
【図３】本発明の実施形態に使用するフィルタ構成の波長に関する伝送及び反射特性を示すグラフである。
【図４】好適な実施形態における４０の光チャンネルを示すグラフである。
【図５】好適な実施形態におけるフォトダイオードへの光チャンネル入射を示すグラフである。
【図１】
2005505986.tif 000003
【図２】
2005505986.tif 000004
【図３】
2005505986.tif 000005
【図４】
2005505986.tif 000006
【図５】
2005505986.tif 000007
【国際公開パンフレット】
2005505986.tif 000008
2005505986.tif 000009
2005505986.tif 000010
2005505986.tif 000011
2005505986.tif 000012
2005505986.tif 000013
2005505986.tif 000014
2005505986.tif 000015
2005505986.tif 000016
2005505986.tif 000017
2005505986.tif 000018
2005505986.tif 000019
2005505986.tif 000020
2005505986.tif 000021
2005505986.tif 000022
2005505986.tif 000023
2005505986.tif 000024
2005505986.tif 000025
2005505986.tif 000026
2005505986.tif 000027
2005505986.tif 000028
2005505986.tif 000029
2005505986.tif 000030
2005505986.tif 000031
【国際公開パンフレット（コレクトバージョン）】
2005505986.tif 000032
2005505986.tif 000033
【国際調査報告】
2005505986.tif 000034
2005505986.tif 000035
2005505986.tif 000036